(57)【要約】【課題】充電器に接続して現に充電中の端末を親機とすることにより、親機となる端末のバッテリー消費を低減できるとともに、充電中の複数の端末同士でも優位性を与え、充電器からの電源供給の持続性がより長い端末を親機とすることで、アドホックネットワーク通信の長時間維持及び安定性を一層向上させる。【解決手段】バッテリーに受電中であるかを監視する充電監視部４と、一日を複数の充電時間帯に区分し、所定日数分の充電時間帯を統計して充電回数の多寡により充電時間帯の優先度を決定する充電時間帯優先度設定部６と、その優先度情報を記憶する充電時間帯優先度情報記憶部７と、充電監視部にて現に受電中とされ、しかも、充電時間帯優先度情報記憶部７に記憶されている優先度情報を参照して優先度の高い携帯無線端末を親機とする親機／子機変更制御部２ａとを、各端末に具備する。【選択図】図１
2007235694.tif 000002
【特許請求の範囲】
【請求項１】
携帯無線端末が親機にもなり、親機となった端末を介して通信できるアドホックネットワーク式携帯無線端末において、バッテリーに受電中であるかを監視する充電監視手段と、一日を複数の充電時間帯に区分し、所定日数分の充電時間帯を統計して充電回数の多寡により充電時間帯の優先度を決定する充電時間帯優先度設定手段と、その優先度情報を記憶する記憶手段と、前記充電監視手段にて現に受電中とされ、しかも、前記記憶手段に記憶されている優先度情報を参照して優先度の高い携帯無線端末を親機とする機種変更手段とを具備したことを特徴とするアドホックネットワーク式携帯無線端末。
【請求項２】
記憶手段に記憶される優先度情報は、所定日数経過ごとに更新されることを特徴とする請求項１に記載のアドホックネットワーク式携帯無線端末。
【請求項３】
バッテリーの残量からバッテリー切れ時間を予測するバッテリー切れ予測手段を更に備え、機種変更手段は、バッテリー切れ予測手段によるバッテリー切れ予測時間も参照して機種変更をすることを特徴とする請求項１又は２に記載のアドホックネットワーク式携帯無線端末。
【発明の詳細な説明】
【技術分野】
【０００１】
本発明は、アドホックネットワーク式携帯無線端末に関する。
【背景技術】
【０００２】
アドホックネットワークでは、携帯無線端末が親機にもなり、親機となった端末にデータの中継機能を持たせることで、基地局から直接にデータ転送が行えない場所にある端末でも、端末を介して情報を得ることができる。しかし、各端末の位置が固定されていないため、端末移動による通信路の切断が発生し、経路の再構築や、複数の経路を維持についての対応が必要となりＤＳＲ(Dynamic Source Routing)やＡＯＤＶ(Ad hocOn-Demand Distance Vector routing)等、多くの手法が開発されている。ただし、これらの手法の多くは最短経路選択について重きをおいており、通信路の質、すなわち、より切れにくい経路選択についてはほとんど考慮されていない。通信経路の質について、主なパラメータは、
（１）端末間の距離
（２）中継端末の移動による経路消失
（３）中継端末の電池切れなどによる経路消失
である。
【０００３】
このうち、（２）の中継端末の移動による経路消失については、ＧＰＳ等の位置情報を分析して移動速度等を割り出し、中継端末のPriorityづけをしており、また、（３）の中継端末の電池切れなどによる経路消失については、ＰＡＲ(Power-Aware Routing)等があるが、主に、通信経路に全体についての電池の残存エネルギーについての最適化にとどまっている。
【０００４】
（３）について、バッテリー切れを予測して経路消失を防止する従来例として、特許文献１（特開２００３−３２２６３号）には、親機にも子機にもなれる複数の端末を備えるスター型接続のアドホック無線ＬＡＮシステムにおいて、親機は、自機のバッテリー切れ時間を予測するとともに、子機に自機のバッテリー切れ時間を予測させ、全端末のバッテリー切れ予測時間情報を収集してバッテリー切れ予測時間情報記憶部に蓄え、親機の最適親機選定部からの指示に従い、全端末の制御部は、端末間の接続関係をバッテリー切れ予測時間の長い端末を親機とする接続関係に設定し直す技術が開示されている。
【０００５】
しかし、これによると、バッテリー切れ予測時間を監視して、予測時間の長い端末を優先して親機として選択しているため、充電器に接続して現に充電中の端末が複数存在した場合には、その端末同士では優位性の判断がつかない。
【特許文献１】特開２００３−３２２６３号
【発明の開示】
【発明が解決しようとする課題】
【０００６】
本発明の課題は、充電器に接続して現に充電中の端末を親機とすることにより、親機となる端末のバッテリー消費を低減できるとともに、充電中の複数の端末同士でも優位性を与え、充電器からの電源供給の持続性がより長い端末を親機とすることで、アドホックネットワーク通信の長時間維持及び安定性を一層向上させることにある。
【課題を解決するための手段】
【０００７】
請求項１に係る本発明は、携帯無線端末が親機にもなり、親機となった端末を介して通信できるアドホックネットワーク式携帯無線端末であって、バッテリーに受電中であるかを監視する充電監視手段と、一日を複数の充電時間帯に区分し、所定日数分の充電時間帯を統計して充電回数の多寡により充電時間帯の優先度を決定する充電時間帯優先度設定手段と、その優先度情報を記憶する記憶手段と、充電監視手段にて現に受電中とされ、しかも、記憶手段に記憶されている優先度情報を参照して優先度の高い携帯無線端末を親機とする機種変更手段とを具備したことを特徴とする。
【０００８】
請求項２に係る発明は、上記の構成において、記憶手段に記憶される優先度情報が、所定日数経過ごとに更新されるようにしたものである。
【０００９】
請求項３に係る発明は、バッテリーの残量からバッテリー切れ時間を予測するバッテリー切れ予測手段を更に備え、機種変更手段は、バッテリー切れ予測手段によるバッテリー切れ予測時間も参照して機種変更をするようにしたものである。
【発明の効果】
【００１０】
本発明は、一日を複数の充電時間帯に区分し、所定日数分の充電時間帯を統計して充電回数の多寡により充電時間帯の優先度を決定し、現に受電中とされ、しかも、優先度の高い携帯無線端末を親機とするので、現に受電中の端末を親機とすることにより、親機となる端末のバッテリー消費を低減できる。しかも、受電中の端末のなかでも、過去の統計から充電頻度がその時間帯で最も高い端末を優先して親機とするので、充電器からの電源供給の持続性がより長い端末を親機とすることができ、アドホックネットワーク通信の長時間維持及び安定性を一層向上させることができる。
【００１１】
請求項２に係る発明は、記憶される優先度情報を所定日数経過ごとに更新するので、最新の優先度情報に従って親機を選択できる。
【００１２】
請求項３に係る発明は、バッテリー切れ予測時間も参照して機種変更をするので、アドホックネットワーク通信の一層の長時間維持が図れるとともに、機種変更の融通性が向上する。
【発明を実施するための最良の形態】
【００１３】
次に、本発明の実施例を図面に基づいて詳細に説明する。
【実施例】
【００１４】
図１に、本実施例のアドホックネットワーク式携帯無線端末の機能ブロック図を示す。各端末１には、制御部２、他端末との送受信部３、バッテリーに充電中であるかを監視する充電監視部４、その監視に係る充電時間を記憶する充電時間記憶部５、後述のように充電時間帯の優先度を決定する充電時間帯優先度設定部６、その充電時間帯優先度情報を記憶する充電時間帯優先度情報記憶部７、バッテリーの残量を監視するバッテリー残量監視部８、その監視に係るバッテリー残量情報を記憶するバッテリー残量情報記憶部９、そのバッテリー残量情報からバッテリー切れ時間を予測するバッテリー切れ時間予測部１０、そのバッテリー切れ時間予測情報を記憶するバッテリー切れ時間予測情報記憶部１１、充電時間帯優先度情報記憶部７に記憶された充電時間帯優先度情報及びバッテリー切れ時間予測情報記憶部１１に記憶されたバッテリー切れ時間予測情報を参照して最適な親機を選定する最適親機選定部１２が備わっている。制御部２には、親機／子機変更制御部２ａ、親機制御部２ｂ、子機制御部２ｃの３つの制御機能がある。
【００１５】
本実施例では、充電器に接続してバッテリーに充電中であるかを充電監視部４で監視するが、一日を複数の充電時間帯に区分し、所定日数分の充電時間帯を統計して充電回数の多寡により充電時間帯の優先度を決定し、充電中の端末に対して、優先度の高い端末を親機として選定するもので、その機能について説明する。
【００１６】
充電時間記憶部５には、１日（２４時間＝１４４０分）を例えば１０２４分割（１４４０分÷１０２４＝１．４０６２５分）、つまり、１から１０２４までの充電時間帯に区分し、そのなかのある充電時間帯に充電器に接続してバッテリーに充電していれば、充電したとして、その充電時間帯についてビット「１」を記憶し、充電しなかったらビット「０」を記憶する。そして、これをＮ日分、例えば１６日（Ｎ＝１６）分について記憶するとともに、Ｎ日経過ごと（１６日経過ごと）に更新していく。すなわち、Ｎ日（１６日）を経過したデータは消去し、最新のＮ日（１６日）だけ保持する。
【００１７】
充電時間帯優先度設定部６は、充電時間記憶部５の記憶データを統計して、充電時間帯ごとに優先度を設定する。すなわち、充電時間帯ごとに、ビット「１」の数をカウントし、そのカウント数をもって優先度とし、これを充電時間帯優先度情報記憶部７に記憶する。例えば、１６日分を統計する場合、カウント数が１６であれば最優先、０であれば最低となる。これを表にすると、次の表１のように表すことができる。このようにすると、一日分（１０２４分割＝１ｋビット）×１６日分（１６優先度＝４ビット）となり、４ｋビットの容量で済む。
【００１８】
【表１】
2007235694.tif 000003
【００１９】
次に、フローチャートを参照して動作を説明する。
図２は、各端末における充電時間帯及びバッテリー残量についての情報収集の動作を示し、ステップＳ２１では、充電監視部４による充電中かどうかの監視に従い、充電時間帯ごとにビット「１」又は「０」を充電時間記憶部５に記憶する。ステップＳ２２では、バッテリー残量監視部８によるバッテリー残量の監視に従い、バッテリー残量情報をバッテリー残量情報記憶部９に記憶する。
【００２０】
図３は、子機となる端末での動作を示し、ステップＳ３１では、充電器に接続してバッテリーに現に充電中であるかを充電監視部４で監視するとともに、充電時間記憶部５の記憶データを統計して、充電時間帯優先度設定部６にて充電時間帯ごとに優先度を設定し、これを充電時間帯優先度情報記憶部７に記憶する。
【００２１】
ステップＳ３２では、バッテリー残量情報記憶部９に記憶のバッテリー残量情報からバッテリー切れ時間予測部１０にてバッテリー切れ時間を予測し、そのバッテリー切れ時間予測情報をバッテリー切れ時間予測情報記憶部１１に記憶する。
【００２２】
ステップＳ３３では、充電器に接続してバッテリーに現に充電中であるかの情報、充電時間帯優先度情報記憶部７に記憶の充電時間帯優先度情報、バッテリー切れ時間予測情報記憶部１１に記憶のバッテリー切れ時間予測情報を、親機である端末へ送信する。
【００２３】
図４は、親機となる端末での動作を示し、ステップＳ４１では、子機の場合と同様に、充電器に接続してバッテリーに現に充電中であるかを充電監視部４で監視するとともに、充電時間記憶部５の記憶データを統計して、充電時間帯優先度設定部６にて充電時間帯ごとに優先度を設定し、これを充電時間帯優先度情報記憶部７に記憶する。
【００２４】
ステップＳ４２では、子機の場合と同様に、バッテリー残量情報記憶部９に記憶のバッテリー残量情報からバッテリー切れ時間予測部１０にてバッテリー切れ時間を予測し、そのバッテリー切れ時間予測情報をバッテリー切れ時間予測情報記憶部１１に記憶する。
【００２５】
ステップＳ４３では、図３のステップＳ３３において送信されてきた全端末についての、充電中であるかの情報、充電時間帯優先度情報、バッテリー切れ時間予測情報を記憶する。
【００２６】
次のステップＳ４４で、現親機は充電中であるか判断し、充電中であれば、他端末と比較するため、ステップＳ４３で送信された現に充電中であるとの情報から、ステップＳ４５において、充電中の子機を抽出するとともに、そのなかから、現親機より充電時間帯の優先度が高い端末が存在するか否か判断する。
【００２７】
現親機より充電時間帯の優先度が高い端末が有れば、ステップＳ４６で、優先度が最も高い端末を図１の最適親機選定部１２で親機に選定して、機種変更を指示を出し、図１の親機／子機変更制御部２ａで機種を変更する。なお、優先度が最高の端末が複数存在した場合には、最初に検出した端末を選定する。
【００２８】
ステップＳ４４で、現親機が充電中でなかった場合には、ステップＳ４３で送信された現に充電中との情報から、ステップＳ４７において子機のなかで充電中の端末が存在するか否か判断する。子機で充電中の端末が有れば、上記と同様に、ステップＳ４６で、その端末を親機に選定して機種変更の指示を出し、機種を変更する。
【００２９】
一方、ステップＳ４７において、子機のなかで充電中の端末が存在しなかった場合には、ステップＳ４３で送信されたバッテリー切れ時間予測情報を参照して、ステップＳ４８において、現親機より長時間動作可能な端末が存在するか否か判断し、存在したときは、上記と同様に、ステップＳ４６で、その端末を親機に選定して機種変更の指示を出し、機種を変更する。なお、データ転送予測時間がバッテリー切れ時間より長くなると予測される場合には、親機にアラームで通知する。
【図面の簡単な説明】
【００３０】
【図１】本発明の実施例のアドホックネットワーク式携帯無線端末の機能ブロック図である。
【図２】各端末における充電時間帯及びバッテリー残量についての情報収集の動作を示すフローチャートである。
【図３】子機となる端末での動作を示すフローチャートである。
【図４】親機となる端末での動作を示すフローチャートである。
【符号の説明】
【００３１】
１  携帯無線端末
２  制御部
２ａ  親機／子機変更制御部
２ｂ  親機制御部
２ｃ  子機制御部
３  送受信部
４  充電監視部
５  充電時間記憶部
６  充電時間帯優先度設定部
７  充電時間帯優先度情報記憶部
８  バッテリー残量監視部
９  バッテリー残量情報記憶部
１０  バッテリー切れ時間予測部
１１  バッテリー切れ時間予測情報記憶部
１２  最適親機選定部
【図１】
2007235694.tif 000004
【図２】
2007235694.tif 000005
【図３】
2007235694.tif 000006
【図４】
2007235694.tif 000007